(57)【要約】      （修正有）【課題】血流改善のための人体押圧具を提供する。【解決手段】握持棒の一端に押圧体を設け、該押圧体に複数個の押圧突起を設けて以上の構成による押圧具を設け、押圧具を押圧突起を対向させて各１個設けるとともに、双方の押圧具間を、握持棒と押圧体間にその端部が各々固定される接続ベルトにて接続し、接続ベルトの長さ調整手段を設ける。【選択図】図６
0003168753.tif 000002
【実用新案登録請求の範囲】
【請求項１】
押圧突起を備えた一対の押圧体を該突起を対向させて設けるとともに、該押圧体に握持棒を接続ベルトを介して設け、該接続ベルトの長さ調整手段を設けたことを特徴とする血流代謝促進用対向押圧型人体押圧具。
【請求項２】
押圧突起直径２０ミリメートル、押圧突起位置範囲面積８０平方センチメートルとした請求項１記載の血流代謝促進用対向押圧型人体押圧具。
【考案の詳細な説明】
【技術分野】
【０００１】  この考案は、血流代謝促進のために人体各部を対向押圧するための押圧具に関する。
【背景技術】
【０００２】  従来より、種々の人体押圧具が利用されているが、本案にて示すように、対向押圧型のものは見あたらない。
【考案の開示】
【考案が解決しようとする課題】
【０００３】  従来より、多種の指圧具が利用されており、その大半は突起にて一方から人体を押圧するものであるが、体躯に応じた調整機能を有せず、用途別に形態の異なるものを用いている。これら指圧器具の多くは人体のツボ（経穴）を押圧するものであって、筋肉群の押圧用ではない。健康維持のために良好な血流は必要で、これが害されると筋肉疲労や筋肉硬化につながり、筋肉の萎縮が形成されてしまう。これらの状態を防止することが必要なのであるが、そのための適当な用具が見あたらないのが現状である。
本案は以上に鑑み、人体筋肉を対向押圧するための新規な用具を得るために考案されたもので、簡単な形態でありながら、十分に目的を達することのできる有用なる用具を提供することを目的として開発されたものである。
【課題を解決するための手段】
【０００４】  課題を解決する手段として本案は以下の構成とした。
押圧突起を備えた一対の押圧体を該突起を対向させて設けるとともに、該押圧体に握持棒を接続ベルトを介して設け、該接続ベルトの長さ調整手段を設ける。
本案は以上の構成よりなる血流代謝促進用対向押圧型人体押圧具である。
【考案の効果】
【０００５】  本案は下記の効果を有する。
１．接続ベルト長の調整機能を有するため、人体サイズや押圧部位に対応して押圧するこ  とができる。
２．てこの原理を用いたので、少ない力で十分な対向押圧効果を得ることができる。
３．多数の押圧突起を用い、非先鋭突起として所定間隔にて配置したので、筋肉全体への  押圧ができる。
４．押圧突起を曲面的に配置したので、人体のまるみに適応した押圧ができる。
【考案を実施するための最良の形態】
【０００６】  以下、本考案の実施形態について説明する。
図において、１は押圧具で、以下のように形成される。２は木製の押圧体で、略直方体形状の板体であり、その一面は円弧状に形成される。３は押圧突起で、その頂部を半球状に形成した円柱体である。この押圧突起は、図２〜図３にて示すように９個が円弧状面に垂直等間隔に配置される。４は握持棒で、所定長の円柱体であり、その上部側面は少し切り欠いて前記押圧体の円弧面と反対側の側面に固定される。なお、握持棒と押圧体間には布製所定幅の接続ベルト５が位置する。
６は合成樹脂による接続体で、四角枠状物体である。７は市販の長さ調整具で、四角枠状物体の中間位置長手方向に棒状のセンター部８が一体形成されたものである。
本案品は図５のごとく、二つの押圧具を接続ベルトにて対向接続して構成される。
接続ベルトは、固定側接続ベルト９と調整側接続ベルト１０から成り立っている。
固定側接続ベルトは、その両端をそろえて一方の押圧体下面に固定され、他方はループ状として前記接続体６を内包して位置する。調整側接続ベルトは、ループ部は同じく接続体６を内包し、他端の一方は長さ調整具７の下方から入り、センター部８上面を通って再び該調整具下方より出て位置する。他端の他方は、上述の長さ調整具を通ったベルト下面に接して、同じく長さ調整具下方より出て他方の押圧具の押圧体と握持棒間に固定される。
従って、接続ベルトは長さ調整可能である。【０００７】  本案使用時は、図５のごとく押圧具を対向して位置させ、押圧部位に応じて接続ベルト長を適宜に調整する。本案品は人体の各部位に適合して押圧できるが、例えば足のふくらはぎ部分の押圧の場合は、図６〜図７のごとく双方の押圧具を開いた状態にて押圧しようとする部位を挟むように位置させ、握持棒を手に持ち、押圧突起を足に近接させて矢印のごとく双方の握持棒を閉じる方向に移動させる。双方の押圧突起はやがて足に接触するが、そのままさらに移動させると押圧突起は皮膚を押し込む。適宜位置を維持して押圧状態を保ち、こんどは押圧を少しゆるめ、再び同様に押圧し、これを反復する。
反復のリズムは心臓の脈動すなわち脈拍程度が適当であり、施術時間としては個人差があるがおおむね片足について５〜６分程度である。この押圧刺激にて筋肉の伸縮がなされて人体血流がよくなり、種々の効果が現れる。
また、五十肩などのときは、肩の前後面を挟むように押圧するが、この場合は３分程度押圧状態を保ち、被施術者はその間、腕を動かす体動を行うことにて血流が改善される。【０００８】  以上、本案について記したが、本案は比較的広い面積の筋肉群に対する対向押圧が省労力でできるところにその特徴を有し、筋肉群及び人体の血流向上を促すものである。
既述のように、従来は指圧の観点からの用具が大半であり、本案品に比べて押圧突起は鋭く、小面積を押圧するものであるため、いわゆる指圧的効果を目的とするものであった。
人体において血流の状態は大切なものである。これが阻害されると内臓等の主要部に損傷を生じて、疾病となりうる筋肉疲労を生じ、膝痛、腰痛、肩こり等が発生するのであるが、血流代謝促進手段としての筋肉押圧が好ましいのである。しかし、このためには大きな筋肉群を両側から同時に押圧する必要があり、手指ではこれは不可能に近く、このための適当な用具が存在しなかったのである。
これを解決したのが本案品であり、てこの原理によって非力者でも容易に強力な同時押圧が可能となったのである。本案品は例示のごとく、押圧突起直径約２０ミリメートル、突起高さ２０数ミリメートル程度が適当であり、押圧が鋭すぎずに筋肉を痛めることなく押圧でき、所定面積範囲、例示では８０平方センチメートルほどの広がりを有して有効な押圧を可能としている。本品はとりわけ腰痛に顕著な効果を現すものである。
立位の被施術者のふくらはぎを反復押圧することにて、全身が温まってぎっくり腰の痛みが激減することが確かめられている。
なお、例示では接続ベルトを布製、押圧具を木製にて示したが、合成樹脂その他の素材を用いて制作してもよい。以上のごとく、本案にて血流促進に顕著な効果を発揮するとともに、非力者でも人体種々の部位に対応して押圧のできる、有用なる用具を得ることができる。
【図面の簡単な説明】
【０００９】
【図１】本考案の押圧具の平面図（単品）
【図２】本考案の押圧具の正面図
【図３】本考案の押圧具の右側面図
【図４】本考案の平面図（使用セット時）
【図５】本考案の正面図（使用セット時）
【図６】本考案の使用例説明図
【図７】本考案の使用例説明図
【符号の説明】
【００１０】  １  押圧具
２  押圧体
３  押圧突起
４  握持棒
５  接続ベルト
６  接続体
７  長さ調整具
８  センター部
９  固定側接続ベルト
１０  調整側接続ベルト
【図１】
0003168753.tif 000003
【図２】
0003168753.tif 000004
【図３】
0003168753.tif 000005
【図４】
0003168753.tif 000006
【図５】
0003168753.tif 000007
【図６】
0003168753.tif 000008
【図７】
0003168753.tif 000009
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
握持棒の一端に押圧体を設け、該押圧体に複数個の押圧突起を設けて以上の構成による押圧具を設け、該押圧具を押圧突起を対向させて各１個設けるとともに、双方の押圧具間を、握持棒と押圧体間にその端部が各々固定される接続ベルトにて接続し、該接続ベルトの長さ調整手段を設けたことを特徴とする血流代謝促進用対向押圧型人体押圧具。
【請求項２】
押圧突起直径２０ミリメートル、押圧突起位置範囲面積８０平方センチメートルとした請求項１記載の血流代謝促進用対向押圧型人体押圧具。